(57)【要約】【課題】調整時にＨＤＤに映像を保存し、パラメータ変更前と変更後の映像を画面２分割で同時に表示させており、調整パラメータ適用前後の画面を２分割表示するために、画像が縮小され画質が判り難いという問題があった。【解決手段】調整パラメータの設定方法では、任意の画像の任意の部分を切り出し、メモリに保存し、パラメータ変更前と変更後の画像２種類を、切り出した部分についてそれぞれ表示し、複数のパラメータ変更をリアルタイムに適用、表示させることを特徴とする。【選択図】図１
2008147931.tif 000002
【特許請求の範囲】
【請求項１】
任意の画像の任意の部分を切り出し、メモリに保存するステップと、
パラメータ変更前と変更後の画像２種類を、切り出した複数の部分についてそれぞれ表示させるステップと、
パラメータ変更をリアルタイムに適用、表示させるステップと、を備えたことを特徴とする調整パラメータの設定方法。
【請求項２】
メニューキーの動作に対応して画面上にメニューを表示するステップと、
メニュー表示から画像切り出し選択の動作に対応して画像切り出し動作に移行するステップと、
画面上の複数の切り出し領域の選択に応じて、複数の切り出し領域の画像を切り出してメモリに保存するステップと、
切り出し操作終了後、ＯＳＤ表示により、画面に複数の切り出し画像を表示するステップと、
メニューにより、複数の切り出し画像に対して、画質調整を実行するステップと、を備えたことを特徴とする調整パラメータの設定方法。
【請求項３】
請求項１または請求項２に記載の調整パラメータの設定方法において、
前記パラメータの変更は、画質を調整するための複数のパラメータを同時に調整可能であることを特徴とする調整パラメータの設定方法。
【請求項４】
請求項１または請求項２に記載の調整パラメータの設定方法において、
前記パラメータの変更は、調整画面上に変更前と変更後の比較画像を表示した近傍に、少なくとも一つの調整パラメータをバー表示させ、そのバーを調整することで近くの調整画像を見ながら複数のパラメータを同時に調整可能であることを特徴とする調整パラメータの設定方法。
【請求項５】
請求項１または請求項２に記載の調整パラメータの設定方法において、
前記パラメータの変更は、画像を切り出す切り出し画面と、切り出した画像のパラメータを調整する調整画面とを同一画面上に表示することを特徴とする調整パラメータの設定方法。
【請求項６】
映像信号を処理する信号処理部とＯＳＤ部と操作部とメモリ部と表示部とこれらを制御する制御部とを備え、
前記操作部による画像切り出し操作により、前記制御部が前記信号処理部から、任意の画像の任意の部分を切り出して前記メモリ部に複数の領域の画像データを保存すると共に、
前記操作部による調整操作により、前記メモリ部から読み出された複数の領域の画像データと、前記ＯＳＤ部によるパラメータ調整用のＯＳＤ表示と、前記パラメータの調整により画質が調整された調整後の複数の画像データとを、前記表示部に表示することを特徴とする調整パラメータの設定が可能な表示装置。
【発明の詳細な説明】
【技術分野】
【０００１】
本発明は、例えば、表示画像の画質調整を行う際にコントラスト、シャープネス、色相等の調整部に適用して好適な調整パラメータの設定方法および調整パラメータの設定可能な表示装置に関する。
【背景技術】
【０００２】
従来から、例えば、テレビ受信機のような表示装置には、コントラスト、シャープネス、色相等の画質調整部が設けられている。ユーザは、受信機本体あるいはリモコン送信機に設けられた調整摘みあるいは調整キーを操作して、コントラスト、シャープネス、色調等を調整して、自分好みの画質を得ることができる。
【０００３】
例えば、特許文献１には、画質調整のスタート時に、画質の調整パラメータの値をメモリに記憶すると共に、そのときのビデオ信号をＨＤＤに記録し、また、ユーザ操作による変更後の調整パラメータ値をメモリに記憶すると共に、そのときのビデオ信号をＨＤＤに記録し、その後、ＨＤＤに記録されている各ビデオ信号を順次読み出し、ディスプレイ部に供給し、この状態で、ユーザが、各ビデオ信号による画像の画質を比較でき、好みの画質の画像を容易に選択可能となる情報信号処理装置が記載されている。
【特許文献１】特開２００２−３００６１７号公報
【発明の開示】
【発明が解決しようとする課題】
【０００４】
しかしながら、従来技術では、調整時にＨＤＤに映像を保存し、パラメータ変更前と変更後の映像を画面２分割で同時に表示させており、調整パラメータ適用前後の画面を２分割表示するために、画像が縮小され画質が判り難いという問題があった。
【０００５】
本発明は、任意の画像の一部を切り出すことにより特徴的な部分において調整パラメータの効果を視覚化し、どのようなシーンにも対応するような画質調整をユーザが容易に行えるようにすることを目的とする。
【課題を解決するための手段】
【０００６】
本発明の調整パラメータの設定方法では、任意の画像の任意の部分を切り出し、メモリに保存するステップと、パラメータ変更前と変更後の画像を、切り出した複数の部分についてそれぞれ表示させるステップと、パラメータ変更をリアルタイムに適用、表示させるステップと、を備えたことを特徴とする。
【０００７】
また、本発明の調整パラメータの設定方法は、メニューキーの動作に対応して画面上にメニューを表示するステップと、メニュー表示から画像切り出し選択の動作に対応して画像切り出し動作に移行するステップと、画面上の複数の切り出し領域の選択に応じて、複数の切り出し領域の画像を切り出してメモリに保存するステップと、切り出し操作終了後、ＯＳＤ表示により、画面に複数の切り出し画像を表示するステップと、メニューにより、複数の切り出し画像に対して、画質調整を実行するステップと、を備えたことを特徴とする。
【０００８】
本発明の調整パラメータの設定方法は、更に、前記パラメータの変更は、画質を調整するための複数のパラメータを同時に調整可能であることを特徴とする。
【０００９】
本発明の調整パラメータの設定方法は、更に、前記パラメータの変更は、調整画面上に変更前と変更後の比較画像を表示した近傍に、少なくとも一つの調整パラメータをバー表示させ、そのバーを調整することで近くの調整画像を見ながら複数のパラメータを同時に調整可能であることを特徴とする。
【００１０】
本発明の調整パラメータの設定方法は、更に、前記パラメータの変更は、画像を切り出す切り出し画面と、切り出した画像のパラメータを調整する調整画面とを同一画面上に表示することを特徴とする。
【００１１】
また、本発明の調整パラメータの設定が可能な表示装置は、映像信号を処理する信号処理部とＯＳＤ部と操作部とメモリ部と表示部とこれらを制御する制御部とを備え、前記操作部による画像切り出し操作により、前記制御部が前記信号処理部から、任意の画像の任意の部分を切り出して前記メモリ部に複数の領域の画像データを保存すると共に、前記操作部による調整操作により、前記メモリ部から読み出された複数の領域の画像データと、前記ＯＳＤ部によるパラメータ調整用のＯＳＤ表示と、前記パラメータの調整により画質が調整された調整後の複数の画像データと、を前記表示部に表示することを特徴とする。
【発明の効果】
【００１２】
本発明によれば、切り出した部分は縮小されることなく表示されるためにパラメータ変更の効果が分かり易い。また、任意の画像の任意の部分を取り出せるため、暗い画像、明るい画像といった異なるシーンに対しても同時に調整が行え、黒レベル、明るさなどの調整について、白い画像と黒い画像を同時に見ながら調整が可能である。
【発明を実施するための最良の形態】
【００１３】
以下、図面を用いて、本発明の実施の形態について説明する。
【実施例１】
【００１４】
図１は、本発明の実施例１の調整パラメータ設定が可能な受信機のブロック図である。図１において、１はアンテナ、２はチューナー、３はインタフェース、４はＡＶセレクタ、５はＹ／Ｃセパレータ、６はクロマデコーダ、７はＲＧＢプロセッサ、８は合成器、９は液晶表示装置（ＬＣＤ）、１０は外部入力装置、１１は音声アンプ、１２はスピーカー、１３はＯＳＤ（On Screen Display）・キャラクタジェネレータ、１４は受光部、１５はマイコン、１６はメモリ、１７はリモコンを示す。
【００１５】
アンテナ１で受信された放送信号は、チューナー２で選局され、インタフェース４で映像信号Ｖと音声信号Ｓに分離される。インタフェース４で分離された映像信号Ｖと音声信号Ｓ並びに外部入力装置１０からの信号はＡＶセレクタ４に入力され、映像信号Ｖと音声信号Ｓに選別される。
【００１６】
映像信号ＶはＹ／Ｃセパレータ５によりＹ／Ｃ分離が行われ、輝度信号Ｙと色信号Ｃに分離される。輝度信号Ｙと色信号Ｃはクロマデコーダに入力され、ルミナンス信号（Ｙ：輝度信号）とクロミナンス信号（ＵＶ：色信号）が生成される。これらの信号はＲＧＢプロセッサ７で信号処理されて、液晶表示装置（ＬＣＤ）９に画像表示される。また、ＡＶセレクタ４で選別された音声信号Ｓは音声アンプ１１で増幅されてスピーカー１２に出力される。
【００１７】
本発明の実施例１の調整パラメータ設定が可能な受信機は、ＯＳＤ（On Screen Display）・キャラクタジェネレータ１３、受光部１４、マイコン１５、メモリ１６、リモコン１７を用いて、調整パラメータの設定を行っており、リモコン１７のメニューキー、カーソルキー、決定キー等を操作して送信した制御信号が受光部１４で受信されて、マイコン１５による制御が行われる。
【００１８】
メニューキーを操作して画像切り出しのメニューに進み、カーソルキーと決定キーにより画面上の切り出し領域を選択すると、マイコン１５は、ＲＧＢプロセッサ７から画面上の選択された切り出し領域の画像情報を切り出し、メモリ１６内に切り出し画像の情報を保存する。上記操作を繰り返して、メモリ上に複数の切り出し画像の情報を保存する。
【００１９】
切り出し操作の終了の指示があるとマイコン１５は、メモリ１６から切り出し画像の情報を取り出し、ＯＳＤ（On Screen Display）・キャラクタジェネレータ１３を介して、液晶表示装置（ＬＣＤ）９に、ＯＳＤ表示、文字表示と共に、複数の切り出し画像の情報を表示する。
【００２０】
メニューキーを操作して画像切り出しのメニューに進むと、複数の切り出し画像に対して、明るさあるいは黒レベルといった複数のパラメータ変更がなされ、パラメータ変更前の切り出し画像とパラメータ変更後の切り出し画像が並列してそれぞれ表示され、画質調整操作をユーザが容易に行うことができる。
【実施例２】
【００２１】
図２は、本発明の実施例２の調整パラメータの設定方法の手順のフローチャートである。図２のステップＳ１において手順を開始すると、ステップＳ２において、メニューキーを押してメニューを表示する。ステップＳ３において、メニューより画像切り出し選択の場合には、ステップＳ４に移行し、メニューより画像切り出し選択でない場合には、ステップＳ３を繰り返す。
【００２２】
ステップＳ４において、切り出す部分を選択して、メモリに保存する。ステップＳ５において、切り出し操作終了指示ありの場合にはステップＳ６に移行し、ステップＳ６において、画面に切り出し画像を表示する。ステップＳ５において、切り出し操作終了指示なしの場合には、ステップＳ４に戻る。
【００２３】
ステップＳ７において、メニューより画質調整を実行する。そして、ステップＳ８において、切り出し画像表示終了の場合には、ステップＳ９移行し、切り出し画像表示終了でない場合には、ステップＳ７に戻り、メニューより画質調整を実行する。そして、ステップＳ９において、通常画面に戻り、ステップＳ１０において、手順を終了する。
【実施例３】
【００２４】
図３は、本発明の実施例３の調整パラメータの設定時の切り出し画面と調整画面の説明図である。図３において、２０は切り出し画面、２１は切り出し領域１、２２は切り出し領域２、２３は切り出し領域３を示す。また、３０は調整画面、３１は明るさのＯＳＤ表示、３２は黒レベルのＯＳＤ表示、２１１は調整前の切り出し領域１、２１２は調整後の切り出し領域１、２２１は調整前の切り出し領域２、２２２は調整後の切り出し領域２、２３１は調整前の切り出し領域３、２３２は調整後の切り出し領域３を示す。
【００２５】
図３の切り出し画面２０において、例えば、人物の顔面を示す２１の切り出し領域１、白部分の多い２２の切り出し領域２、あるいは、黒部分の多い２３の切り出し領域３を選択して、切り出し操作を実行すると、２１の切り出し領域１、２２の切り出し領域２、２３の切り出し領域３の画像データが切り取られて、メモリ１６内に保存される。
【００２６】
また、図３の調整画面３０において、２１１である調整前の切り出し領域１と２１２である調整後の切り出し領域１が並べて表示され、２２１である調整前の切り出し領域２と２２２である調整後の切り出し領域２とが並べて表示され、２３１である調整前の切り出し領域３と２３２である調整後の切り出し領域３が並べて表示される。
【００２７】
明るさのＯＳＤ表示３１、黒レベルのＯＳＤ表示を見ながら、明るさあるいは黒ラベルといった複数のパラメータを調整すると、ＯＳＤ表示のバー部分が変化すると共に、調整後の切り出し領域の画像の画質が、パラメータの変更と共に調整される。例えば、白部分の多い領域や黒部分の多い領域を選択すると、画像の白レベルの調整や黒レベルの調整をより正確に行うことができる。また、調整する複数のパラメータとしては、明るさや黒レベルのパラメータに限らず、画像のコントラスト、シャープネス、色相等の各種の画質調整を行うことができる。
【実施例４】
【００２８】
図４は、本発明の実施例４の調整パラメータの設定時の切り出し画面と調整画面の説明図である。図４において、切り出し画面２０、切り出し領域１の２１、切り出し領域２の２２、切り出し領域３の２３を示す。また、調整画面３０、明るさのＯＳＤ表示３１、黒レベルのＯＳＤ表示３２、調整前の切り出し領域１の２１１、調整後の切り出し領域１の２１２、調整前の切り出し領域２の２２１、調整後の切り出し領域２の２２２、調整前の切り出し領域３の２３１、調整後の切り出し領域３の２３２は、図３の実施例３と同様である。
【００２９】
実施例４では、調整前後の画像に加えて、中間の切り出し領域１の画像２１３、中間の切り出し領域２の画像２２３画像、中間の切り出し領域３の画像２３３等を表示可能である。中間の画像を表示するためには、調整前のパラメータと調整後のパラメータの中間のパラメータを用いて、中間の画像を自動的に生成し、表示することができる。
【実施例５】
【００３０】
図５は、本発明の実施例５の調整パラメータの設定時の切り出し画面と調整画面の説明図である。実施例３，４においては、調整パラメータの設定時の切り出し画面と、調整画面とがそれぞれ一つの表示画面に表示されていたのに対し、実施例５では、調整パラメータの設定時の切り出し画面と調整画面とを一つの大型の表示画面上に分割表示する点に特徴がある。最近の大画面テレビジョンの普及と高精細パネル化の進化により、画面を分割表示しても、一定以上の大きさで、かつ高精細画面で詳細に画質調整が可能である。なお、図５においては、調整パラメータの設定時の切り出し画面と調整画面とが左右に分割表示されているが、上下、あるいは、斜め方向に配置して同一画面上に表示することがかのうである。
【図面の簡単な説明】
【００３１】
【図１】図１は、本発明の実施例１の調整パラメータ設定が可能な受信機のブロック図である。
【図２】図２は、本発明の実施例２の調整パラメータの設定方法のフローチャートである。
【図３】図３は、本発明の実施例３の調整パラメータの設定時の切り出し画面と調整画面の説明図である。
【図４】図４は、本発明の実施例４の調整パラメータの設定時の切り出し画面と調整画面の説明図である。
【図５】図５は、本発明の実施例５の調整パラメータの設定時の切り出し画面と調整画面の説明図である。
【符号の説明】
【００３２】
１    アンテナ
２    チューナー
３    インタフェース
４    ＡＶセレクタ
５    Ｙ／Ｃセパレータ
６    クロマデコーダ
７    ＲＧＢプロセッサ
８    合成器
９    液晶表示装置（ＬＣＤ）
１０    外部入力装置
１１    音声アンプ
１２    スピーカー
１３    ＯＳＤ・キャラクタジェネレータ
１４    受光部
１５    マイコン
１６    メモリ
１７    リモコン
２０    切り出し画面
２１    切り出し領域１
２２    切り出し領域２
２３    切り出し領域３
３０    調整画面
３１    明るさのＯＳＤ表示
３２    黒レベルのＯＳＤ表示
２１１    調整前の切り出し領域１
２１２    調整後の切り出し領域１
２１３    中間の切り出し領域１
２２１    調整前の切り出し領域２
２２２    調整後の切り出し領域２
２２３    中間の切り出し領域２
２３１    調整前の切り出し領域３
２３２    調整後の切り出し領域３
２３３    中間の切り出し領域３
【図１】
2008147931.tif 000003
【図２】
2008147931.tif 000004
【図３】
2008147931.tif 000005
【図４】
2008147931.tif 000006
【図５】
2008147931.tif 000007